(57)【要約】      （修正有）【課題】撮像装置のミスアライメントを検知する。【解決手段】可視光センサ１１８及び赤外線センサ１２８を有し、ミスアライメント分析機能と併せて使用可能な撮像装置１００において、可視光センサにより、異なる時間で捕捉した第１の画像及び第２の画像を、遠隔モニタリングステーションに送信し、遠隔モニタリングステーションで、受信した第１の可視光画像と第２の可視光画像を比較し、撮像装置の位置変化が起きたかを確認する。撮像装置の位置の変化が、比較に応じて起こった場合、対象物に対する撮像装置のミスアライメント表示を提供する。【選択図】図１Ｃ
2020053976.tif 000002
【特許請求の範囲】
【請求項１】
撮像装置のミスアライメントを決定する方法であって、該方法が、
前記撮像装置を使用して一度目で第１の可視光画像を捕捉することと、
前記一度目に続いて二度目で、前記撮像装置を使用して第２の可視光画像を捕捉するこ
とと、
第１の可視光画像での撮像装置の測定範囲の位置と第２の可視光画像での撮像装置の測
定範囲の位置を比較することとを含む方法。
【請求項２】
プログラム可能なプロセッサが
撮像装置が捕捉した第１の可視光画像に対応する第１の可視光画像データを受信し、
該第１の可視光画像を捕捉した後の時点で、前記撮像装置が捕捉した第２の可視光画像
に対応する第２の可視光画像データを受信し、
該第１の可視光画像データでの前記撮像装置の測定範囲の位置と該第２の可視光画像デ
ータでの前記撮像装置の測定範囲の位置を比較するようにするインストラクションを含む
、非一時的なコンピュータ可読媒体。
【請求項３】
撮像装置のミスアライメントを決定するシステムであって、該システムは、
可視光センサ及び赤外線センサを有する前記撮像装置であって、対象物から出る可視光
エネルギーを可視光センサ上に収束すると共に、該対象物から出る赤外線エネルギーを赤
外線センサ上に収束するよう構成されている前記撮像装置と、
該撮像装置と通信する遠隔モニタリングステーションと、
前記撮像装置及び前記遠隔モニタリングステーションと通信する計算装置であって、該
計算装置が少なくとも一つのプロセッサを含み、並びに、
前記可視光センサによって生成された第１の可視光画像データを受信し、
該第１の可視光画像データを捕捉した後の時点で、前記撮像装置によって捕捉された
該第２の可視光画像データであって、前記可視光センサによって生成された第２の可視光
画像データを受信し、
前期撮像装置の位置変化が起きたかを確認するために、前記第１の可視光画像データ
を前記第２の可視光画像データと比較し、
前記撮像装置の位置の変化が、該比較に応じて起こった場合、ミスアライメント表示
を生成するよう構成された該計算装置とを含むシステム。
【発明の詳細な説明】
【技術分野】
【０００１】
本開示は、概して撮像装置、より具体的には撮像装置のミスアライメント検知に関する
。
【背景技術】
【０００２】
撮像装置は、例えば、物理的外見などの対象物体の特徴を捉えるのに役立つ。撮像装置
の中の一つのタイプには、対象物体の温度的特徴を捉えることが可能なものもあり、その
ため、非接触温度測定装置として役立つ。非接触温度測定装置は、ユーザが、対象物に触
れることなく、対象物又は対象物の一部の表面温度を測定することを可能にする。一般的
な非接触温度測定装置の一つは、赤外線放射温度計である。赤外線放射温度計は、対象物
が放射する赤外線を測定することで、対象物の温度を決定する。特定の波長で放射される
赤外線量は、対象物の温度と相関関係にある。対象物が放射する赤外線エネルギーの量と
その放射率がわかれば、その対象物に接触することなく対象物の温度が決定できる。赤外
線放射温度計の光学システムは、測定スポットから赤外線エネルギーを収集し、それを検
知器上に集中させる。その後、検知器は赤外線エネルギーを温度の単位で表示可能な電気
信号に変換する。多くの赤外線放射温度計は、対象物にむけて赤外線放射温度計をかざす
ことで対象物上のスポットの温度をユーザが確認することを可能にしている。
【０００３】
産業用モニタリングシステムでは、非接触温度計が頻繁に使用され、対象物の一つ又は
複数の温度を捉える。いくつかの例では、対象物は、製造装置の一部（例えば、製造装置
の部品の特定箇所）、及び/又は、製造過程途中（例えば、組み立てライン上）の製品を
含むことがある。多くの産業用モニタリングシステムでは、非接触温度計が採用され、遠
隔モニタリングステーションと交信し、並びに、いくつかの例では、製造過程制御パッケ
ージに組み込まれることがある。
【０００４】
非接触温度計は、所望の対象物の画像データを捕捉するに相応しい固定箇所に搭載可能
である。しかしながら、多くの例では、その環境内の通常離れた箇所に非接触温度計の設
置を必要とする環境に、対象物がありうる。例えば、非接触温度計は、装置への損害が及
ぶ危険を最小限に抑える場所、及び/又は、環境内の事象によって引き起こされる干渉（
例えば、蒸気、煙、埃など）を最小限に抑える場所に搭載される必要がある。更に、多く
のこのような環境において、非接触温度計の適切な動作への一つの脅威は、対象物に対す
る装置のミスアライメントである。ミスアライメントは、例えば、振動又は多くの対象と
なる環境で起こりうるその他の機械的衝撃によって引き起こることがある。現在、非接触
温度計の定常操作では、非接触温度計が、所望の対象物と正しくアラインしているかを確
認するために、頻繁に手動のアライメント検査が行われている。このような手動のアライ
メント検査は、多くの場合、非接触温度計から遠隔で届きにくいがために複雑になり得る
。
【先行技術文献】
【特許文献】
【０００５】
【特許文献１】米国特許出願公開第２０１６／００７６９３６号明細書
【特許文献２】特開２０１２−２１３１３０号公報
【発明の概要】
【発明が解決しようとする課題】
【０００６】
ここに開示する実施形態は、撮像装置のミスアライメントを検知する際に有用である。
いくつかの実施形態では、対象物に対する撮像装置のミスアライメント表示が、ミスアラ
イメント分析機能を使用して生成され、並びに、更に特定の実施形態では、撮像装置の位
置決めが調整されて、そのようなミスアライメントを修正する。いくつかの場合、撮像装
置に手動でアクセスする必要なく、撮像装置の位置決めが自動的に調整される。結果とし
て、ここに開示する実施形態は、撮像装置のミスアライメント検知を可能にし、そのため
、撮像装置が対象物に正しくアラインされているかを確認するための手動の検査を定期的
に行う必要を排除する。また、ここに開示する特定の実施形態は、検知されたミスアライ
メントの程度に応じて、撮像装置の位置決めに対する自動調整を更に駆使し、これにより
、手動による撮像装置の再位置決めの必要を排除する。その結果、撮像装置が捕捉した画
像に関する誤った表示が、実質上、速やかにほぼ修正されて、ミスアラインされた撮像装
置によって提供される表示に依存して起こる危険を減少することができる。
【０００７】
本発明の第１のアスペクトによれば、いくつかの実施形態では、撮像装置のミスアライ
メントの決定方法を含む。このような方法の一つは、撮像装置を使用して一度目で第１の
画像（例えば、可視光画像又は熱画像）を捕捉する工程、及び、撮像装置を使用して二度
目で第２の画像（例えば、可視光画像又は熱画像）を捕捉する工程を含む。二度目は、一
度目に続く。この方法は、更に、第１の画像での撮像装置の測定範囲の位置と第２の画像
での撮像装置の測定範囲の位置を比較する工程を含む。この比較で、撮像装置が、所望の
対象物に対してミスアライメントになっていることを示すために使用されうる結果、及び
/又は、撮像装置の位置決めを（例えば、自動で）調整するために使用されうる結果が出
る。
【０００８】
本発明の第２のアスペクトによれば、前記第１のアスペクトの方法において、前記第１
の可視光画像での撮像装置の測定範囲の位置が、前記第２の可視光画像での撮像装置の測
定範囲の位置と異なる時、ミスアライメント表示を生成する工程を更に含んでいる。
【０００９】
本発明の第３のアスペクトによれば、前記第２のアスペクトの方法において、前記第１
の可視光画像での撮像装置の測定範囲の位置が、前記第２の可視光画像での撮像装置の測
定範囲の位置と所定の閾値を超える程度まで異なる時、前記ミスアライメント表示が生成
する。
【００１０】
本発明の第４のアスペクトによれば、前記第１のアスペクトの方法において、第１の可
視光画像上に測定範囲を表示する可視的インジケータを生成する工程と、前記第１の可視
光画像を重ねられた可視的インジケータと共にメモリに保存する工程とを更に含んでいる
。
【００１１】
本発明の第５のアスペクトによれば、前記第１のアスペクトの方法において、前記撮像
装置を使用して第２の可視光画像を捕捉した後の時点で、第３の可視光画像を捕捉するこ
とと、前記第１の可視光画像での撮像装置の測定範囲の位置と前記第３の可視光画像での
撮像装置の測定範囲の位置を比較することとを更に含んでいる。
【００１２】
本発明の第６のアスペクトによれば、前記第１のアスペクトの方法において、第１の可
視光画像での撮像装置の測定範囲の位置と第２の可視光画像での撮像装置の測定範囲の位
置の比較結果を使用して、前記撮像装置の位置を変更することを更に含んでおる。
【００１３】
本発明の第７のアスペクトによれば、前記第６のアスペクトの方法において、前記比較
結果が、第１の可視光画像及び第２の可視光画像間での、前記撮像装置の測定範囲の位置
における変化の数的測定である。
【００１４】
本発明の第８のアスペクトによれば、前記第７のアスペクトの方法において、前記第１
の可視光画像上に測定範囲を表示する可視的インジケータを生成することと、前記第２の
可視光画像上に測定範囲を表示する可視的インジケータを生成することとを更に含み、前
記第１の可視光画像及び前記第２の可視光画像間での、前記撮像装置の測定範囲の位置に
おける変化の前記数的測定が、該可視的インジケータに関連している。
【００１５】
本発明の第９のアスペクトによれば、前記第７のアスペクトの方法において、前記撮像
装置の位置が、前記撮像装置から離れた位置においてユーザ入力によって変更され、並び
に、該ユーザ入力が、前記第１の可視光画像及び前記第２の可視光画像間で、前記撮像装
置の測定範囲の位置における変化の前記数的測定に基づいている。
【００１６】
本発明の第１０のアスペクトによれば、前記第７のアスペクトの方法において、前記撮
像装置の位置が、変更される際に、ユーザ入力なしで自動的に変更され、並びに、前記撮
像装置の位置の該自動変更が、前記第１の可視光画像及び前期第２の可視光画像間での、
前記撮像装置の測定範囲の位置における変化の前記数的測定に基づいている。
【００１７】
本発明の第１１のアスペクトによれば、前記第７のアスペクトの方法において、前記撮
像装置が動く対象物に向けられて、該対象物が前記第１の可視光画像及び前記第２の可視
光画像で捕捉され、さらに、前記一度目と前記二度目の間の経過時間を決定することと、
前記第１の可視光画像での対象物の位置と前記第２の可視光画像での対象物の位置を比較
することと、該比較に基づいて、前記対象物の位置における変化の数的測定を決定するこ
とと、前記第１の可視光画像及び前期第２の可視光画像間での、前記撮像装置の測定範囲
の位置における変化の前記数的測定が、前記対象物の動きの速度に大きく関わっており、
前記対象物の位置における変化の前記数的表示及び前記経過時間を使用して、対象物の動
きの速度を決定することと、前記測定範囲の位置における変化の前記数的測定が、所定の
閾値を超える時、ミスアライメント表示を生成することとを更に含んでいる。
【００１８】
本発明の第１２のアスペクトによれば、特定の実施形態において、プログラム可能なプ
ロセッサに画像を比較させるインストラクションを備える非一時的なコンピュータ可読媒
体を含んでおり、並びに、いくつかの場合には、撮像装置が、所望の対象物に対してミス
アライメントになるかを決定する。一つの実施形態では、プログラム可能なプロセッサが
、撮像装置が捕捉した第１の画像に対応する第１の画像データ（例えば、可視光や赤外線
データ）を受信するようにするインストラクション、及び、第１の画像を捕捉した後の時
点で、撮像装置が捕捉した第２の画像に対応する第２の画像データ（例えば、可視光や赤
外線データ）を受信するようにするインストラクションを備える。インストラクションは
更に、プログラム可能なプロセッサが、第１の画像データでの撮像装置の測定範囲の位置
と第２の画像データでの撮像装置の測定範囲の位置を比較するようにする。この比較は、
撮像装置が、所望の対象物に対してミスアライメントになっていることを示すため、及び
/又は、撮像装置の位置決めを（例えば、自動で）調整するために使用されうる結果を生
み出す。
【００１９】
本発明の第１３のアスペクトによれば、前記第１２のアスペクトの非一時的なコンピュ
ータ可読媒体において、前記インストラクションが、更に、プログラム可能なプロセッサ
が、前記第１の可視光画像データにおいて前記測定範囲を表示する可視的インジケータを
生成し、前記プロセッサが前記第１の可視光画像データに対応する多数の特定のピクセル
を登録するようにすることで、該可視的インジケータが生成されて、生成された可視的イ
ンジケータと共に、前記第１の可視光画像データをメモリに保存し、前記第２の可視光画
像データにおいて前記測定範囲を表示する可視的インジケータを生成するが、前記プロセ
ッサが前記第２の可視光画像データに対応する多数の特定のピクセルを登録するようにす
ることで、該可視的インジケータが生成され、並びに、前記第１の可視光画像データ及び
前記第２の可視光画像データに対応する特定のピクセルが同じであり、更に、生成された
可視的インジケータと共に、前記第２の可視光画像データをメモリに保存するようにする
。
【００２０】
本発明の第１４のアスペクトによれば、前記第１３のアスペクトの非一時的なコンピュ
ータ可読媒体において、前記インストラクションが、更に、プログラム可能なプロセッサ
が、前記第１の可視光画像での可視的インジケータの位置が、前記第２の可視光画像での
可視的インジケータの位置と所定の閾値を超える程度まで異なる時、ミスアライメント表
示を生成するようにする。
【００２１】
本発明の第１５のアスペクトによれば、前記第１４のアスペクトの非一時的なコンピュ
ータ可読媒体において、前記インストラクションが、更に、プログラム可能なプロセッサ
が、前記第１の可視光画像及び前記第２の可視光画像間で可視的インジケータの位置にお
ける変化の数的表示に対応する位置変更信号を出力するようにする。
【００２２】
本発明の第１６のアスペクトによれば、更なる実施形態において、画像が比較され、並
びにいくつかの例では、撮像装置が所望の対象物に対してミスアライメントになっている
かを確認するために使用されるシステムを含む。撮像装置のミスアライメントを決定する
システムの一つの実施形態は、撮像装置、遠隔モニタリングステーション、及び計算装置
を含む。撮像装置は、一つ又は複数のセンサ（例えば、可視光、及び/又は、赤外線セン
サ）を有し、並びに、対象物から出る可視光エネルギーを可視光センサ上に収束すると共
に、該対象物からエネルギー（例えば、可視光、及び/又は、赤外線エネルギー）を一つ
又は複数のセンサ上にそれぞれ収束するよう構成されている。遠隔モニタリングステーシ
ョンは撮像装置と交信する。計算装置は、撮像装置、及び/又は、遠隔モニタリングステ
ーションと交信する。計算装置は、少なくとも一つのプロセッサを有し、並びに、一つ又
は複数のセンサによって生成される第１の画像データ（例えば、可視光、及び/又は、赤
外線画像データ）を、一つ又は複数のセンサによって生成される第２の画像データと共に
受信するよう構成されている。第２の画像データは、撮像装置が第１の画像データを捕捉
した後の時点で、撮像装置によって捕捉される。計算装置は、更に、撮像装置の位置変更
が起きたかを確認するために、第１の画像データと第２の画像データを比較するよう構成
されている。計算装置は、また、その比較に応じて撮像装置の位置変更が起きる場合に、
ミスアライメント表示を生成するよう構成されている。
【００２３】
本発明の第１７のアスペクトによれば、前記第１６のアスペクトのシステムにおいて、
前記第１の可視光画像データと前記第２の可視光画像データの比較が、前記第１の可視光
画像での撮像装置の測定範囲の位置と前記第２の可視光画像での撮像装置の測定範囲の位
置を比較することを含んでいる。
【００２４】
本発明の第１８のアスペクトによれば、前記第１７のアスペクトのシステムにおいて、
前記第１の可視光画像での撮像装置の測定範囲の位置と前記第２の可視光画像での撮像装
置の測定範囲の位置を比較することが、前記第１の可視光画像上に生成された測定範囲を
表示する可視的インジケータと前記第２の可視光画像上に生成された測定範囲を表示する
可視的インジケータを比較することを含んでいる。
【００２５】
本発明の第１９のアスペクトによれば、前記第１６のアスペクトのシステムにおいて、
前記計算装置が、更に、前記第１の可視光画像及び前記第２の可視光画像間で、前記撮像
装置の位置における変化の数的測定を算出し、該算出された数的測定に応じて、前記撮像
装置の位置を調整するために前記撮像装置に向けられたインストラクションを含むコマン
ドを前記撮像装置へ通信するように構成されている。
【００２６】
本発明の第２０のアスペクトによれば、前記第１９のアスペクトのシステムにおいて、
前記撮像装置の位置決めが、ユーザ入力なしで、自動的に調整され、並びに、前記撮像装
置の位置決めの自動的な調整が、前記第１の可視光画像及び前期第２の可視光画像間で、
前記撮像装置の位置における変化の数的測定に基づいている。
【００２７】
一つ又は複数の例の詳細は、添付の図面及び以下の明細書に記載してある。その他の特
徴、目的、有利な点は、明細書、図面、及び請求項から明らかであろう。
【図面の簡単な説明】
【００２８】
【図１Ａ】図１Ａは、非接触温度測定装置の一例の前面を示す斜視図である。
【図１Ｂ】図１Ｂは、図１Ａの非接触温度測定装置の一例の後面を示す斜視図である。
【図１Ｃ】図１Ｃは、図１Ａ及び１Ｂの非接触温度測定装置の一例を示す断面図である。
【図１Ｄ】図１Ｄは、図１Ａ及び１Ｂの非接触温度測定装置の別の一例を示す断面図である。
【図２】図２は、ミスアライメント分析の一例を示す概略図である。
【図３】図３は、非接触温度測定装置のアライメントを修正する方法例を示すフローチャートである。
【発明を実施するための形態】
【００２９】
以下の詳細な説明は、本質的に例示的なものであって、いかなることがあっても、本発
明の権利範囲、産業上の利用可能性、又は、構成を限定することを意図するものではない
。以下の説明は、むしろ、本願発明の様々な実施形態の実行における実用的例示を提供す
る。構造、材料、寸法、製造工程の例は、選択された要素で提供されており、その他のす
べての要素は、本発明の分野における当業者により一般に知られているものを採用してい
る。当業者は、記載された例の多くが、多様の適切な代替を有していることを理解するで
あろう。
【００３０】
図１Ａ〜１Ｃは、撮像装置１００の実施形態を図示する。撮像装置１００は、一つの例
では、非接触温度測定装置としての働きも含む、様々な機能で役立つ。図１Ａは、撮像装
置１００の前方斜視図であり、一方、図１Ｂは、後方斜視図である。図１Ｃは、撮像装置
１００の断面図である。上述したように、撮像装置１００は、例えば、所望の対象物と撮
像装置１００が物理的に接触する必要なく、対象物の温度状況に係る情報を提供するアプ
リケーションで使用できる。
【００３１】
撮像装置１００は、撮像装置１００の様々な構成部品（そのうちのいくつかは図１Ｃに
て図示されている）を備える筐体１０２で明瞭に示されている。筐体１０２は、前部１０
４及び後部１０６を有する。撮像装置１００の前部１０４は、レンズアセンブリ１０８を
含み、一方で、撮像装置１００の後部１０６は、制御パネル１１０を含む。実装部品１１
２は、筐体１０２に連結されうる。撮像装置１００は、実装部品１１２を使用し、所望の
位置に取り付け可能であり、前部１０４は、離れた場所から対象物に向けられる。取り付
け後、実装部品１１２は、撮像装置１００が取り付けられた場所に対して撮像装置１００
の動きを容易にする目的（例えば、所望の対象物との再アライメントを容易にするような
、撮像装置１００の旋回、及び/又は、傾斜等）で使用されうる。
【００３２】
作動中、撮像装置１００の前部１０４は、対象物に向けられる。前部１０４にあるレン
ズアセンブリ１０８は、対象物から発する、可視光、及び/又は、電磁スペクトルの赤外
域における放射線を受け取ることができる。レンズアセンブリ１０８は、撮像装置１００
のアプリケーションに応じて、様々な部品を含みうる。例えば、図１Ｃで、図示される例
では、レンズアセンブリ１０８は、対象物の発する可視光、及び/又は、赤外線を受け取
ることができる一つのレンズ１１４を含む。その他の例では、レンズアセンブリ１０８は
、対象物からの可視光を受け取る第１のレンズ、及び、対象物からの赤外線を受け取る第
２のレンズといった別個のレンズを含みうる。一つ又は複数のレンズ（例：レンズ１１４
）は、受け取った可視光、及び/又は、赤外線を収束するように働くことができる。更に
、フォーカスメカニズムが、レンズアセンブリ１０８の一つ又は複数のレンズ（例：レン
ズ１１４）を動かすよう構成されたレンズアセンブリ１０８に結合しており、撮像装置１
００の捕捉した一つ又は複数の画像の焦点を調整することができる。
【００３３】
レンズアセンブリ１０８は、一つ又は複数のレンズ（例：レンズ１１４）の曲率中心を
通る光軸１１６を明確に示している。対象物から受け取った可視光エネルギーは、レンズ
１１４の前面を通って投影され、レンズ１１４の反対側に焦点を合わせる。この焦点の合
った可視光エネルギーは、可視光センサ１１８へと向けることができる。可視光センサ１
１８は、メモリに保存でき、及び/又は、変換して可視光画像として表示できる電気信号
を生成することで、焦点の合ったエネルギーに反応することができる。可視光センサ１１
８は、ＣＭＯＳ検出器、ＣＣＤ検出器、ＰＩＮダイオード、アバランシェフォトダイオー
ド等の複数の可視光センサ素子を含むでもよい。
【００３４】
撮像装置１００の図解例では、レンズ１１４からの焦点を合わせた可視光エネルギーを
可視光センサ１１８へと向ける目的で、ビームスプリッター１２０が含まれる。ビームス
プリッターは、例えば、図１Ｃで図示される構成例で、可視光センサ１１８が、光軸１１
６に対しておよそ９０度に位置するような、レンズアセンブリ１０８からの焦点を合わせ
たエネルギーを必要とするセンサが、光軸１１６からはずれて位置する場合に、有用であ
りうる。この実施形態では、ビームスプリッター１２０は、撮像装置１００に入り、レン
ズ１１４を通って収束する可視光エネルギーの一部が、可視光センサ１１８へと反射する
ように、光軸１１６に対して角度をつけて（例：４５度）位置される。その他の例では、
ビームスプリッターは、可視光センサ１１８の位置決めに応じて、含まれる必要はない（
例：可視光センサ１１８が光軸１１６に沿って位置される場合）。
【００３５】
ビームスプリッター１２０が含まれる例では、可視光の非反射部が、光軸１１６に沿っ
て、ビームスプリッター１２０を通りぬけ、最終的には、後部１０６の照準アレンジメン
ト１２２まで通り抜ける。照準アレンジメント１２２は、図示されるように、一般に光軸
１１６に対して同心円状に位置される。図解された撮像装置１００の例は、照準アレンジ
メント１２２の一部として、接眼レンズ１２４を含み、ビームスプリッター１２０を通り
抜ける非反射の可視光からできる可視光像を、ユーザが視覚的に見えるようにする。焦点
調整のメカニズムが含まれる場合には、一つ又は複数のレンズ（例：レンズ１１４）を介
して、接眼レンズ１２４を通して見られる可視光像の焦点を調整する目的で使用できる。
照準アレンジメント１２２は、例えば、撮像装置１００を最初にインストールする際に、
所望の対象物、又は対象物の一部に、撮像装置１００の測定範囲が正しくアラインするよ
う使用される。例えば、照準アレンジメント１２２は、ユーザが、撮像装置１００の測定
範囲が、所望の対象物に対して現在どの位置にあるのかを確かめることができるように、
並びに、撮像装置１００のアライメントに必要な調整を行い、撮像装置１００の測定範囲
を対象物上に位置決めできるようにする。一旦、撮像装置１００の測定範囲が所望の対象
物と正確にアラインされると、撮像装置１００は、例えば、実装部品１１２の使用を介し
て、位置が固定されうる。撮像装置１００が、遠隔モニタリングステーションと交信する
ような場合には、照準アレンジメント１２２（及び、接眼レンズ１２４）は含む必要はな
い。照準アレンジメントが含まれない場合、ここに説明する照準アレンジメントの機能の
一部、又は全てが、遠隔モニタリングステーションで撮像装置１００が捕捉した画像デー
タを使用して、達成できる。
【００３６】
照準アレンジメント１２２は、ユーザが撮像装置１００を所望の対象物に正しく向けて
、測定範囲とアラインできるように、撮像装置１００の測定範囲の大きさを表示する手段
を含むことができる。照準手段の例には、インジケータを対象物に投影する手段、装置と
対象物の間に中間視覚インジケータを提供する手段、オーバーレイ手段がある。しかしな
がら、照準アレンジメントが含まれない場合でも、似たような照準手段が存在し、例えば
、遠隔モニタリングステーションが、先に説明した照準アレンジメントの機能を達成でき
るようにしている。
【００３７】
投影インジケータ手段表は、例えば、当該技術分野において周知され、使用されている
レーザー照準を含んでもよい。このような実施形態では、測定範囲は、対象物自体に、可
視レーザーエネルギーを投影することで、表示することができる。例えば、クロスヘアレ
ーザーパターンが、クローズフォーカスで投影され、並びに、ボーダーパターンが標準フ
ォーカスで投影される。中間視覚インジケータ手段は、例えば、焦点板、又はその他のス
コープを装置に含むことができる。このような例は、ライフルスコープに似たようなもの
が考えられる。ユーザが、中間視覚インジケータ手段を通して又はその周辺を見ることが
でき、そして測定範囲を識別する前面においてインジケータと共に、対象物を視認するこ
とができる。オーバーレイ照準手段は、例えば、当該技術分野において知られるビデオオ
ーバーレイシステムを含むことができる。ビデオオーバーレイシステムの例では、装置は
、対象物の可視化表現を表示するビデオモニタと併せて使用される可視光線カメラを含む
。ソフトウェアインストラクションを、測定範囲と一致する対象物のビデオ画像に、パタ
ーンオーバーレイを位置決めする目的で使用できる。このような実施形態では、プロセッ
サとインストラクションのセットが、対象の画像上のオーバーレイの適切な大きさと位置
決めを算出するために提供されることが必要となることもある。更に、このような方法は
、レンズ１１４から対象物までの距離を決定するレーザーやその他距離測定技術を必要と
する場合がある。
【００３８】
ここに説明された撮像装置１００例は、接眼レンズ１２４の前方といった様々な位置に
、一つ又は複数の焦点板（例：クロスヘア構造を有するクリアディスク）を含むこともで
きる。焦点板は、撮像装置１００の測定範囲と対象物とのアライメントを決定する際に、
アシストする目的で含まれうる。ユーザは、接眼レンズ１２４を通して見ることができ、
焦点板を使用し、撮像装置１００の測定範囲の現在位置を確かめることができる。撮像装
置１００のアライメントに必要な調整は、その後、焦点板を使用して手動ででき、撮像装
置１００の測定範囲を対象物へと適切に位置決めすることができる。照準アレンジメント
１２２（及び、接眼レンズ１２４）が、含まれない例では、焦点板は、例えば、可視光セ
ンサ１１８の前の箇所に位置されてよい。このような構成で、可視光センサ１１８が捕捉
した可視光画像データに焦点板を重ね、そうすることで、遠隔モニタリングステーション
が、焦点板があることで、撮像装置１００の測定範囲と対象物とのアライメントの決定の
際にアシストできるようになる。
【００３９】
更に、いくつかの例では、撮像装置１００は、対象物から発する赤外線エネルギーを受
取ることができる。赤外線エネルギーは、例えば、一つ又は複数のレンズ（例：レンズ１
１４）の前面へと投影し、それらの一つ又は複数のレンズの反対側に焦点を合わせること
で、レンズアセンブリ１０８で受けることができる。この焦点の合った赤外線エネルギー
を、赤外線センサ１２８上に向けることができ、並びに、この赤外線センサ１２８で受取
った赤外線エネルギーを電気信号に変換することができる。赤外線センサ１２８は、関連
電子装置、及び/又は、赤外線センサ１２８で受取った素の赤外線を、温度及び/又はデジ
タル画像データへと変換する能力を持つ処理装置１２９を有することもできる。例えば、
赤外線センサ１２８によって生成された信号は、そのような処理装置１２９によって、そ
の後、電気的に増幅され、フィルタリングされ、そしてデジタル信号へ変換される。処理
装置１２９は、エネルギーデータを温度に変換するマイクロコントローラも含むことがで
きる。一つの実施形態では、マイクロコントローラは、ルックアップテーブルを使用して
、エネルギーデータを温度に変換する。更なる例では、マイクロコントローラは、赤外線
センサ１２８から受信したデータにその他の適切な分析を実施してもよい。撮像装置１０
０の制御パネル１１０は、対象物上の測定範囲の温度を表示する表示画面１３０を含むこ
ともできる。
【００４０】
いくつかの実施形態では、赤外線センサ１２８は、単一センサであり得るが、その他の
実施形態では、赤外線センサ１２８は、マイクロボロメータの赤外線フォーカルプレーン
アレイやサーモパイル検知素子でもあり得るし、若しくは、フォトダイオードやフォトト
ランジスタのような光子検出器、又は、その他の熱型や光子検出装置で構成されることも
有り得る。赤外線センサの非制限例の一つは、光通信技術研究所（ＩＰＨＴ）（ドイツ、
イエナ）製小型熱放射センサＴＳ−８０である。ＴＳ−８０センサは、シリコンウェハー
にマイクロシステム技術によって作製された小型多重接合サーモパイルである。
【００４１】
筐体１０２内での赤外線センサ１２８の位置（例えば、図１Ｃに見られるように、赤外
線センサ１２８が光軸１１６からはずれて位置する場合）に応じて、いくつかの例では、
赤外線ビームスプリッター１２０は、赤外線センサ１２８上に焦点を合わせた赤外線エネ
ルギーを反射する目的で使用されうる。別の例では、赤外線センサ１２８は、例えば、赤
外線センサ１２８が、照準アレンジメント１２２の前で、及び/又は、可視光センサ１１
８の前で、光軸１１６上に位置する時に、可視光が通過できるよう構成されてもよい。更
に、可視光ビームスプリッター１２０に対する赤外線センサ１２８の位置に応じて、可視
光ビームスプリッター１２０は、電磁スペクトルの赤外域で放射物に、実質上、透過した
タイプであってもよい。
【００４２】
撮像装置１００の赤外線センサ１２８が含まれる場合、測定範囲が、すでに述べたよう
に、いくつかの例では、接眼レンズ１２４及び焦点板を使用することで、確認できる。撮
像装置１００が赤外線エネルギーを検知できる測定範囲を超える領域が、撮像装置１００
及び対象物間の距離の機能として増加する。測定範囲は、少なくとも一部では、使用され
ている特定の赤外線センサ１２８に対応することがある。測定範囲は、通常、はっきりと
明確なエッジや境界を持たない（例：はっきりした長方形）が、代わりに、通常はぼやけ
たエッジを有する。実際、撮像装置１００によって検知されるエネルギーのおよそ９０％
のみが、通常、製造者が主な測定範囲として特定するもの内からくる。エネルギーの残り
１０％程は、分散及び装置（例：レンズアセンブリ１０８）の集光光学系の性質のために
、主な測定範囲の境界線を超えて存在するより大きな範囲から集められる。そのため、作
動中、撮像装置１００は、実際には、測定範囲（例えば、焦点板を介して）によって表示
されるものより大きな対象物の領域から、赤外線エネルギーを受取る。その結果、いくつ
かのアプリケーションでは、撮像装置１００は、受取られた赤外線エネルギーのこの性質
を考慮するよう構成されることもある。
【００４３】
いくつかの例では、撮像装置１００は、赤外線エネルギー及び可視光エネルギーを、実
質上、同時に（例えば同時に）、対象物から収集する。このような例では、装置が生成し
た可視光データ及び赤外線データは、例えば、焦点板によって表示されるように、同じ測
定範囲に対応しており、そのため、実質上、同時に、同じ対象物、又は対象物の一部のも
のである。これらの例では、撮像装置１００が生成した赤外線データは、特定の時間で、
対象物の局所温度を表示し、一方で、撮像装置１００が生成した可視光データは、同じ時
間に同じ対象物を表示する。他の例では、撮像装置１００は、異なる時間で対象物から赤
外線エネルギー及び可視光エネルギーを収集してもよい。
【００４４】
撮像装置１００のオペレーションを促進する目的で、撮像装置１００は、更に、電子装
置、一つ又は複数のプロセッサ（例：処理装置１２９）、一つ又は複数の記憶装置、入出
力コンポーネント、電源を含むことができる。撮像装置１００内にメモリが含まれる場合
、そのようなメモリは、ＲＡＭ、ＲＯＭ、及び、揮発性と不揮発性メモリの組み合わせを
含んでもよいが、これらに限らない。電源は、バッテリーや関連する電力発生回路を含ん
でもよいが、これらに限らない。電源は、撮像装置１００上の可視光センサ１１８と赤外
線センサ１２８、電子装置、プロセッサ、メモリ、及び/又は、入力/出力装置に、電力を
供給できる。一つ又は複数の入出力コンポーネントは、制御パネル１１０上に含まれるこ
ともある。例示的入出力コンポーネントは、撮像装置１００及び撮像装置１００に関連す
る設定を最初に設定する入力、出力表示器１３０、スピーカー、有線又はワイヤレス通信
を介して作動する通信装置、赤外線及び/又は可視光の光学系の焦点を調整し、赤外線及
び/又は可視光画像を捕捉する等の制御機能を含むことができる。
【００４５】
撮像装置１００の使用中、撮像装置１００のプロセッサ（例：処理装置１２９）は、（
可視光センサ１１８及び/又は赤外線センサ１２８がある時）可視光センサ１１８、及び/
又は、赤外線センサ１２８を制御でき、可視光画像作成、及び/又は、温度測定のために
、捕捉された対象物から、可視光及び赤外線データを生成する。可視光データは、捕捉し
た対象物の異なる部分に関連する色、及び/又は、捕捉した対象物の異なる部分に関連す
る光の大きさを表示する光度データを含んでよい。プロセッサは、１回ごとの撮像装置１
００の可視光センサ素子の各反応を測定することで、可視光画像データの「フレーム」を
生成できる。可視光データのフレームを生成することで、プロセッサは、任意の時点で、
対象物の可視光画像を捕捉する。また、プロセッサは、撮像装置１００の可視光センサ素
子の各反応を繰り返して測定も行い、対象物の動的画像（例：動画表示）を生成する。い
くつかの例では、可視光センサ１１８は、専用のプロセッサ、又は、可視光センサ１１８
を操作できるその他の回路（例：ＡＳＩＣ）を含んでいてもよい。このような実施形態で
は、専用プロセッサは、可視光画像データ（例：ＲＧＢ画像データ）を、説明されたプロ
セッサに提供できる。別の実施形態では、可視光センサ１１８専用プロセッサは、単一プ
ロセッサ（例：処理装置１２９）に統合されてよい。
【００４６】
可視光センサ１１８の各センサ素子が、センサピクセルとして機能する場合、プロセッ
サは、各センサ素子の電気反応を、例えば、表示上の視覚化のために、及び/又は、メモ
リでの保存のためにも、処理可能な時間多重電気信号へと変換することで、対象物からの
可視光の二次元画像、又は、画像表示を生成できる。
【００４７】
撮像装置１００のプロセッサ（例：処理装置１２９）は、様々な実施形態において、追
加の操作を実行できる。例えば、プロセッサは、様々なアプリケーションを実行するため
に使用されうるが、後述するように、様々なアプリケーションは、所望の対象物が、測定
範囲を十分に満たしているかを決定すること、測定範囲での測定された条件の精度で、測
定ノイズの影響を減少させる時間に対して、（例：赤外線センサ１２８から）出力信号の
平均をとること、及び/又は、ミスアライメント検知を実行することを含んでいてもよい
が、これらに限らない。
【００４８】
上述したように、いくつかの例では、撮像装置１００が収集した赤外線及び可視光エネ
ルギーが、撮像装置１００で局部的に処理できる。撮像装置１００のいくつかの実施形態
では、処理された可視光データ、及び/又は、赤外線データが、表示器を介して、撮像装
置１００で局部的に表示できる。このような実施形態では、撮像装置１００の表示は、可
視光画像、非接触温度、若しくは両方を表示するよう設定されうる。
【００４９】
これに加えて又はこれに代え、撮像装置１００は、遠隔モニタリング設備と双方向通信
が可能であって、特に、いくつかの場合、遠隔モニタリング設備の計算装置と双方向通信
が可能である。撮像装置１００及び遠隔モニタリング設備（例えば、遠隔モニタリング設
備の計算装置）間の通信は、ワイヤレス通信、又は、有線接続（例：イーサネット（登録
商標））を介して、促進できる。一つの例では、可視光センサ１１８、及び/又は、赤外
線センサ１２８に関連する電子装置（例：処理装置１２９）は、電気フィードスルーアセ
ンブリのコネクタに結合（例：フレックス回路を介して）している。コネクタは、撮像装
置１００から遠隔モニタリングステーションまで延びるケーブル導体に結合されてよい。
そのため、遠隔モニタリング設備は、特定のアプリケーションで必要に応じて、撮像装置
１００へと情報を送ることができると同時に、撮像装置１００からのデータを受信するこ
とができる。遠隔モニタリング設備から撮像装置１００へ送られたコマンドは、撮像装置
１００から遠隔モニタリング設備へデータ（例：可視光データ、赤外線データ）を送るた
めに使われる同じ接続を介して、送ることができる。
【００５０】
例えば、遠隔モニタリング設備は、それぞれが、撮像装置１００の測定範囲に対応して
いる可視光画像、及び/又は、非接触温度を表示できる。これには、撮像装置１００から
のストリームデータを介して、一つ又は複数の静止画像の表示、及び/又は、連続動画表
示を含むこともできる。このようにして、対象物の状態を、撮像装置１００から離れた場
所で、例えばリアルタイムで、ユーザがモニタリングできる。更に、撮像装置１００及び
遠隔モニタリング設備間の双方向通信で、遠隔モニタリング設備にいるユーザが、撮像装
置１００にコマンドを送ることができる。遠隔モニタリング設備から撮像装置１００へ送
られうるコマンドには、撮像装置１００の初期設定（撮像装置１００のセンサ及びコンポ
ーネントの設定を含む）、可視光及び/又は赤外線データの収集の開始/停止、並びに、撮
像装置１００の位置決め（例：設定中の初期位置決め、又は、その後の設定後の位置決め
）に関するコマンドを含むことができる。いくつかの場合では、撮像装置１００を設定す
る目的で制御パネル１１０を使用する代わりに、コマンドは、遠隔モニタリング設備から
撮像装置１００へ送ることが可能であり、制御パネル１１０を介して、撮像装置１００で
局部的になされるであろうものと同じ設定を実行することができる。
【００５１】
図１Ｄは、撮像装置１００の別の構成例を断面図で示す。図１Ｄで使用される同様の引
用符号は、先に説明した同様の特徴を示すことを意図している。図１Ｄの撮像装置１００
の実施形態は、図示されるように、制御パネル１１０、照準アレンジメント１２２、接眼
レンズ１２４を含まない。従って、ここに図示する撮像装置１００の実施形態は、例えば
、他の箇所で説明されているように遠隔モニタリングステーションと併せて、遠隔モニタ
リング制御アプリケーションで、最も適切に使用されることがある。
【００５２】
また、図１Ｄで図示される撮像装置１００の実施形態は、図１Ｃで図示される可視光セ
ンサ１１８に対して異なる位置に可視光センサ１１８を含む。具体的に、可視光センサ１
１８は、撮像装置１００の後部１０６に、光軸１１６に沿って位置される。従って、可視
光ビームスプリッター１２０は、もはやない。ここに図示される撮像装置１００の実施形
態は、いくつかの例では、赤外線センサ１２８を含む必要がなく、並びに、そのような例
では、赤外線ビームスプリッター１２０も、取り除くことが可能である。しかしながら、
赤外線センサ１２８が図示される位置に含まれる場合、赤外線ビームスプリッター１２０
は、図示された位置にある可視光センサ１１８の機能を損なわぬよう、光軸１１６に沿っ
て、レンズアセンブリ１０８から向けられた可視光エネルギーに対して透過が可能である
。いくつかの例では、焦点板が、可視光センサ１１８が捕捉する可視光に重なるよう、物
理的焦点板が、少なくとも可視光センサ１１８の前方に光軸に沿って含まれることがある
。赤外線センサ１２８が含まれる場合、赤外線センサ１２８が光軸１１６に沿って位置決
めされ（例：後部１０６で）、並びに、可視光センサ１１８が光軸１１６から外れて位置
決めされるように、図１Ｄで図示される可視光センサ１１８と赤外線センサ１２８の位置
が相互交換可能であるということは注意すべきことである。
【００５３】
撮像装置１００の環境内での条件（例：振動）により、例えば、撮像装置１００の測定
範囲がもはや所望の対象物に位置決めされない例のような、撮像装置１００が、定期的に
ミスアライメントになる結果になり得る。撮像装置１００が、届きにくい場所に配置され
る場合、対象物に正確にアライメントをするための照準アレンジメント１２２を使用した
撮像装置１００の定期的な手動の検査が、効率悪く、実行が難しくなり得る。更に、多く
の場合、撮像装置１００のミスアライメントは、撮像装置１００が誤った読取りを出力す
る結果となり、読込みのみ可能なセーフティハザードを出し、そのため一旦次の定期的手
動検査を行えば、修正できる。そのような理由から、撮像装置１００の測定範囲が所望の
対象物に対してミスアライメントとなる場合、ここに説明される撮像装置１００は、ミス
アライメント分析機能を活用し、検知可能である。
【００５４】
図２は、ミスアライメント分析の一例を概略図で示す。画像２００は、正しくアライン
された検知器を図示する一方、画像２０２は、ミスアラインされた検知器を図示する。画
像２００の正しくアラインされた検知器からわかるように、可視的インジケータ２０６（
例：焦点板）によって表示された検知器の測定範囲２０４は、所望の対象物２０８（例：
所望の対象物の一部）にアラインされている。しかし、画像２０２のミスアラインされた
検知器では、可視的インジケータ２０６（例：焦点板）によってここでも表示された検知
器の測定範囲２０４は、もはや所望の対象物２０８にはアラインされていない。このよう
なミスアライメントは、検知器が導入された後に、並びに、検知器が様々な環境で作動し
ている最中に起こり得る。
【００５５】
ミスアライメント分析機能は、検知器の測定範囲２０４が、所望の対象物２０８に、又
は、所望の対象物の特定部分にもはやアラインされない場合に、作動し検知する。ミスア
ライメント分析の一つの例で、（例えば、実装箇所で手動にて、若しくは、モニタリング
ステーションを介して遠隔で、焦点板又は撮像装置のその他の可視的インジケータを使用
して）撮像装置が最初にその分野に導入され、所望の対象物に正しくアラインされる時に
は、画像２００のような可視光画像が、装置によって捕捉できる。導入時に正しくアライ
ンされていることが、検知器で局部的に接眼レンズを使用して、若しくは、検知器から遠
隔モニタリング設備での計算装置へ通信される可視光画像データを使用して、検証できる
。このように通信された画像データは、接眼レンズがあれば、それを通して見ることがで
きる画像に対応している。この初期可視光画像は、例えば、撮像装置のメモリに保存可能
であり、及び/又は、遠隔モニタリングステーションの計算装置に通信され、そこでメモ
リに保存できる。初期可視光画像は、該画像に含まれた焦点板のような可視的インジケー
タ２０６を有するようにして、保存可能である。例えば、保存された初期可視光画像は、
焦点板、又は、物理的焦点板の結果として存在するその他の適切なインジケータ、若しく
は、前述のように、撮像装置１００の存在する他の可視的インジケータ２０６を有するこ
とが可能である。別の例では、保存された初期可視光画像は、（例えば、焦点板のような
可視的インジケータを保存された画像中に再現するために、可視光画像に対応する適切な
ピクセル数を登録することで、）コンピュータ生成を介し、焦点板、又は、画像上に重ね
られたその他の可視的インジケータ２０６を有することが可能である。この例では、焦点
板、又はその他の可視的インジケータ２０６が撮像装置１００内に物理的に存在する必要
はないが、代わりに、保存された画像上でシミュレーションされるようにしてもよい。様
々な例では、可視的表示器２０６は、所望の対象物自体の物理的構造の一部ではない基準
であるが、代わりに、ミスアライメント分析機能の目的で、（例えば、撮像装置１００に
よって、又は、遠隔地で実行されるソフトウェアによって、）生成されてもよい。
【００５６】
可視的インジケータを含む保存された初期可視光画像（例：画像２００）は、他の時点
で、対象物２０８（又は、対象物の一部）に対する測定範囲２０４の位置ずれを測定する
ための基準として、ミスアライメント分析で使用できる。対象物２０８に対する測定範囲
２０４の位置ずれの程度を決定する目的で、撮像装置は、画像２００のような初期可視光
画像の捕捉に続けて、画像２０２のような可視光画像の捕捉が可能である。後続の可視光
画像（例：画像２０２）は、例えば、撮像装置のメモリに保存可能であり、及び/又は、
遠隔モニタリングステーションの計算装置に通信され、そこでメモリに保存できる。また
、この後続の可視光画像は、焦点板のような可視的インジケータ２０６を画像中に含めて
、有するように保存することができる。その後、ミスアライメント分析は、初期可視光画
像（例：画像２００）及び後続の可視光画像（例：画像２０２）間で可視的インジケータ
２０６の位置における変化を比較し、撮像装置の測定範囲２０４が、この時間の間で、対
象物２０８に対してミスアラインとなった程度を確かめることができる。
【００５７】
一つの例では、ミスアライメント分析は、初期可視光画像及び後続の可視光画像間で、
可視的インジケータ２０６の水平方向、及び/又は、垂直方向位置における変化を算出す
ることで、初期可視光画像及び後続の可視光画像間の、可視的インジケータ２０６の位置
における変化を比較できる。例えば、初期可視光画像は、可視的インジケータ２０６の関
連する水平方向位置（例：ｘ座標）、及び/又は、垂直方向位置（例：ｙ座標）を有して
もよい。可視的インジケータのこのような水平方向及び垂直方向位置は、可視的インジケ
ータの中心点といった可視的インジケータの特定の点としてもよい。前述のように、いく
つかのアプリケーションでは、撮像装置の測定範囲は、はっきりとした線で描かれた境界
線を持たず、その代わりに、ぼやけてはっきりしていないものでもよい。撮像装置の測定
範囲の動きをより正確に決定するために、測定範囲の中心点の使用が有益であって、ぼや
けた測定範囲境界線の結果から出る不一致がもたらされることを避けることができる。同
様に、後続の可視光画像は、初期可視光画像で使用される可視的インジケータの同じ中心
点のような、可視的インジケータの関連する水平方向位置、及び/又は、垂直方向位置を
有してもよい。初期及び後続の可視光画像の測定範囲の水平方向位置、及び/又は、垂直
方向位置は、いかなる物体（例：対象物）に対しても測定可能であって、ほとんどの場合
、物体に対して位置が測定されるその物体は、初期及び後続の可視光画像両方で同じとな
る。そのため、撮像装置の測定範囲がミスアラインとなる程度が、例えば、初期及び後続
の画像において測定範囲の水平方向位置間の相違、及び/又は、初期及び後続の画像にお
いて測定範囲の垂直方向位置間の相違を決定することで、確認できる。
【００５８】
いくつかの実施形態では、ミスアライメント分析は、撮像装置１００のプロセッサによ
って実行される。その他の例では、ミスアライメント分析は、例えば、遠隔モニタリング
設備にあるコンピュータ、又は、撮像装置と遠隔モニタリング設備間をネットワークでつ
ながれたコンピュータ（例：リモートコンピュータ、クラウドベースのコンピュータ等）
のような、撮像装置に外付けのコンピュータによって実施される。ミスアライメント分析
は、特徴抽出、特徴記述、カメラローカライゼーションのアルゴリズム、又は、プログラ
ムを含んでよい。特徴抽出のプログラムは、同じ領域の他の画像で容易に区別のつきそう
な第一の可視光画像での各ポイントを見つける。本発明の実施形態において特徴抽出のプ
ログラムで使用される周知のアルゴリズムの例は、例えば、ＣｅｎＳｕｒＥ（センタサラ
ウンドエクストリマス）、代数モデル、ハリスコーナー検出を含む。特徴記述のプログラ
ム情報は、特徴抽出プロセスで見つかったポイントを取り上げて、それら同じポイントの
全ての画像にまたがって同様となるような記述を、それらに与える。本発明の実施形態に
おいて特徴記述のプログラムで使用される周知のアルゴリズムの例は、例えば、ＣＨｏＧ
（コンプレスドヒストグラムオブグラディエント）、グローバルコンテキスト記述子、Ｆ
ＦＴ／ＤＣＴ記述子を含む。カメラローカライゼーション又はポーズ推定プログラム情報
は、複数の画像にまたがって認識された特徴一式を使用して、所望のカメラ位置と比較し
て現在のカメラ位置を決定する。本発明の実施形態においてカメラローカライゼーション
又はポーズ推定のプログラムで使用される周知のアルゴリズムの例は、例えば、ビューフ
ァインダーアラインメント、５点アルゴリズム、区間解析、ファンダメンタルマトリック
スマッチングを含む。
【００５９】
いくつかの実施形態では、ミスアライメント分析は、撮像装置が作動中、継続して実行
できる。その他の実施形態では、ミスアライメント分析は、入力コマンドが（例えば、遠
隔モニタリング設備から）撮像装置で受信される時、実行でき、撮像装置のアライメント
を検証する。更に他の実施形態では、ミスアライメント分析は、設定された時間間隔で自
動的に実行するようプログラミングできる（例：３０秒毎など）。このような実施形態で
は、撮像装置は、新しい可視光画像を捕捉し、並びに、可視的インジケータを含めてこの
新しい画像を保存し、そのような時間間隔ごとに、測定範囲の現在位置を表示するように
してもよい。その後、ミスアライメント分析は、（例えば、撮像装置が導入時にアライン
される時に撮影された）初期可視光画像、及び、時間間隔で撮影された後続の可視光画像
間で、可視的表示器２０６の位置における変化を比較でき、撮像装置の測定範囲２０４が
、対象物２０８に対してミスアラインとなった程度を確かめることができる。このような
過程は、初期画像に続いて捕捉された可視光画像の数がいくらあっても、所望の時間間隔
で繰り返すことができる。
【００６０】
この点までに提供された例示的説明は、ミスアライメント分析において、可視的インジ
ケータ２０６の使用に言及したが、その他の実施形態は、ミスアライメント分析において
、可視的インジケータ２０６を使う必要はない。その代わりに、ミスアライメント分析は
、（可視的インジケータ２０６の参照をせずに）対象物２０８のみを使用して、測定範囲
２０４のミスアライメントを検知するようにしてもよい。このような一つの例では、対象
物２０８上の特定位置が、（例えば、生成される可視的インジケータの代わりに）ミスア
ライメント分析において、基準として使用される。基準として使用された対象物上の特定
位置は、一つの例では、最初に捕捉された可視光画像２００にある対象物の物理的構造の
特徴セットになり得る。その後、対象物のこの同じ特徴セットが、第二の後続する可視光
画像２０２において、捕捉される。この例では、可視的インジケータを使用する先に説明
された例に似て、対象物２０８上の特定位置（例：特徴セット）は、ミスアライメント分
析において使用されてもよく、初期可視光画像２００及び後続の可視光画像２０２間で、
対象物２０８上のその特定位置の位置における変化を比較する。例えば、これは、画像間
の対象物２０８上の特定位置の水平方向、及び/又は、垂直方向位置における変化（例：
特徴セット）を算出することで可能である。
【００６１】
ここで提供する例に加えて又はこれに代え、その他様々な手段が、ミスアライメント分
析で使用することができ、撮像装置の測定範囲２０４が、対象物２０８に対してミスアラ
インとなっている程度を確かめることができる。一つの例は、初期及び後続の画像両方と
して、（例えば、赤外線センサ１２８が捕捉した）熱画像のみ使用すること、及び、その
ような熱画像に、記載したミスアライメント分析を実行することを含む。別の例は、リフ
ォト概念を利用することを含み、赤外線及び可視光画像が組み合わせで使用され、いくつ
かの場合、複数の撮像装置との組み合わせで使用される。このようなリフォトの実施形態
は、次に挙げる開示例に記載されており、それぞれが、全体として、参照文献によりここ
に組み込まれている：米国特許出願１２/１９６４３３号「赤外線及び可視光画像レジス
トレーション」、米国特許出願１３/３３１６３３号「赤外線リフォトのための熱画像カ
メラ」、米国特許出願１３/３３１６４４号「赤外線リフォトのための熱画像カメラ」、
米国特許出願１３/３３６６０７号「赤外線リフォトのための熱画像カメラ」。
【００６２】
一旦、撮像装置の測定範囲が、対象物に対してミスアラインとなった程度が確認される
と、ミスアライメント分析は、対象物に対して撮像装置の測定範囲がミスアラインとなっ
ていることを表示する。いくつかの場合、ミスアライメント表示は、撮像装置の測定範囲
の位置のうちいずれかの方向で変化が起こる時に、例えば、遠隔モニタリングステーショ
ン、及び/又は、撮像装置１００（例えば、撮像装置の制御パネルにて）に出力されうる
。その他の例では、ミスアライメント表示は、撮像装置の測定範囲の位置の変化が、所定
の閾値を超える時に、出力されうる。このような所定の閾値は、撮像装置１００のアプリ
ケーションに基づいて変化し得る。例えば、撮像されている対象物が、比較的害のある物
体である場合に、所定の閾値は、より害のない物体と比較して、比較的低くなり得る。
【００６３】
いくつかの実施形態では、ミスアライメント分析が、対象物に対する測定範囲のミスア
ライメントが起こっていないこと、若しくは、ミスアライメントが所定の閾値以下となっ
ていることを決定することもある。このような実施形態では、ミスアライメント分析は、
撮像装置の測定範囲が所望の対象物と正しくアラインすることを確認する表示、及び/又
は、撮像装置を再配置するために必要なアクションが現在ないことを示す表示を出力でき
る。
【００６４】
撮像装置のミスアライメントが決定されている時、撮像装置は、所望の対象物、又は対
象物の一部と正しくアラインするように、再配置が可能である。図３は、撮像装置のアラ
イメントを修正する方法３００の例を示すフローチャートである。前述のように、ミスア
ライメントが決定され（３０２）、対象物に対して撮像装置の測定範囲がミスアラインと
なる程度を確認する。特に、ミスアライメントの程度は、ミスアライメントが起こった方
向と併せて、測定範囲の位置における変化の具体的な数的測定になり得る。
【００６５】
対象物に対して検知器の測定範囲のミスアライメントが起こった時、このようなミスア
ライメントは、所望の対象物と測定範囲が再びアラインするように、修正可能である。上
記のように、いくつかの例では、確認されたミスアライメントの程度が所定の閾値を超え
る時のみ、ミスアライメントは修正可能であるが、その他の例では、ミスアライメントが
いくらかでも起こった時、修正可能である。
【００６６】
対象物に対して撮像装置の測定範囲のミスアライメントが、いくつかの方法で修正可能
である。一つの例では、撮像装置は手動で再びアラインが可能である（３０６）。撮像装
置の手動の再アライメントは、ミスアライメント分析の結果として出たミスアライメント
表示を受けしだい撮像装置で局地的に行うことが可能である。例えば、所望の対象物上に
撮像装置の測定範囲を再配置できるように、撮像装置の接眼レンズ及び焦点板を使用して
、手動の再アライメントを行うことができる。一旦、撮像装置が対象物上に正しく再びア
ラインされると、撮像装置は、測定範囲を所望の位置に向けることができるような位置に
固定することができる。
【００６７】
別の例では、撮像装置は遠隔で再びアラインが可能である（３０８）。例えば、移動コ
マンドを、遠隔モニタリングステーションから撮像装置に送ることができ、対象物と正し
くアラインできるように、撮像装置を再配置するようにする。このような移動コマンドは
、ミスアライメント表示を受けしだい、ユーザによって送ることができる。例えば、遠隔
モニタリングステーションのユーザが、対象物に対する測定範囲のリアルタイムの位置を
表示する撮像装置から受取ったライブ画像を利用することができ、撮像装置に特定の移動
コマンドを提供することができる。また、ひとたび測定範囲のミスアライメントの特定の
程度や方向が決定されれば、移動コマンドは、（例えば、ユーザ入力なしで）自動的に撮
像装置へ送られるようにしてもよい。例えば、アルゴリズムが利用でき、ミスアライメン
ト分析の結果からミスアライメントが起こった方向と併せて、測定範囲の位置における変
化の数的測定を使用して、特定の移動コマンドを撮像装置へ送るよう決定することができ
る。撮像装置に通信される移動コマンドは、例えば、撮像装置に結合（例えば、撮像装置
の実装部品に結合）したモーター付きアクセサリのような、特定のパンコマンド、及び/
又は、ティルトコマンドを含むことができる。
【００６８】
更なる例では、撮像装置は、対象物を追跡するよう再アラインすることができる（３１
０）。例えば、上記のように、検知器は、複数の可視光画像を捕捉し、保存することがで
き、並びに、撮像装置の測定範囲のミスアライメントの程度を決定する。しかしながら、
いくつかの例では、所望の対象物は動く対象物であることがある。そのため、これらの可
視光画像は、対象物の位置を追跡するために使用することもできる。例えば、第１の及び
第２の可視光画像が比較でき、２つの画像間の所望の対象物の位置における変化を決定す
る。その後、対象物の位置の変化の程度が、同じ画像で測定範囲の位置の変化を伴って使
用でき、対象物及び測定範囲の位置の変化に応じて、撮像装置を再配置する。いくつかの
場合では、これは、更に、対象物の位置における確認された変化に伴って、２つの画像が
捕捉される夫々の時間の間の経過時間の使用を含むことができ、対象物が動く速度を決定
する。一つの例では、対象物の位置の変化が、測定範囲のミスアライメントの程度を決定
する際に、大きく関わり、動く対象物以外の原因から起こったミスアライメントのより正
確な表示を提供する。この過程が、（例えば、組み立てライン上で）対象物の動きを追跡
するために繰り返され、絶えず、対象物が動く時に、撮像装置と再アラインさせる。この
ようにして、対象物の動きだけでなく、（例えば、対象物の動きではなく）撮像装置自体
の修正された位置から起こるミスアライメントをも要因となるような形で、動く対象物が
、撮像装置の測定範囲とアラインできる。
【００６９】
従って、方法３００と併せて使用されるミスアライメント分析は、撮像装置が、特に撮
像装置の測定範囲が、所望の対象物に実質上常にフォーカスされていることを確かにする
ために実行する。結果として、対象物の近くにある、又は互いに関係するそれらが、ミス
アライメントのためにその他の位置ではなく、撮像装置が対象物自体に特有の情報を提供
していると確信できる。
【００７０】
非接触温度計例及び関連技術を記述された。また、本開示で記述された技術は、インス
トラクションを含む非一時的なコンピュータ可読記録媒体のようなコンピュータ可読記録
媒体で、具現化又はコード化されうる。コンピュータ可読記録媒体に埋め込まれた、若し
くは、コード化されたインストラクションで、プログラム可能なプロセッサ、又はその他
のプロセッサが、例えば、インストラクションが実行される時に、その方法を実行できる
ようにする。コンピュータ可読記録媒体は、ランダムアクセスメモリ（ＲＡＭ）、リード
オンリーメモリ（ＲＯＭ）、ハードディスク、光メディア、若しくはその他のコンピュー
タ可読メディアを含んでもよい。
【００７１】
例えば、このようなコンピュータ可読記録媒体を含む外部コンピュータは、撮像装置か
ら或いはメモリから、対応する可視光、及び/又は、非接触温度を受けることができ、並
びに、ここに記述されたように画像を使用して、ミスアライメント分析、及び/又は、ミ
スアライメント修正プロセスを実行できる。いくつかの実施形態では、その技術の様々な
部分を、複数のコンポーネントに組み込むことができる。例えば、撮像装置は、画像デー
タを局地的に処理し、並びに、処理した画像データを、測定範囲のミスアライメントを決
定するか、及び/又は、そのようなミスアライメントを修正する外部計算装置に渡すこと
ができる。
【００７２】
更なる例では、本発明の実施形態は、表示システムに組み込まれてもよい。表示システ
ムは、可視光及び温度データを受けとり、ここに記述してあるようなプロセスを実行する
よう構成されうる。表示システム例は、そのようなプロセスを実行するための、一つ又は
複数のプロセッサ、ディスプレイ、ユーザインターフェースを含むことができる。表示シ
ステムは、画像データを受信及び処理可能な適切な装置、又はシステムに組み込むことが
できる。
【００７３】
様々な実施形態を説明してきたが、このような例は、非制限的であり、本発明の特許請
求の範囲を、決して定義又は制限するものではない。むしろ、これら及びその他の例は、
次の例示的な実施形態の特許請求の範囲内にある。
【符号の説明】
【００７４】
１００  撮像装置
１０２  筐体
１０４  前部
１０６  後部
１０８  レンズアセンブリ
１１０  制御パネル
１１２  実装部品
１１４  レンズ
１１６  光軸
１１８  可視光センサ
１２０  ビームスプリッター
１２２  照準アレンジメント
１２４  接眼レンズ
１２８  赤外線センサ
１２９  処理装置
２００、２０２  画像
３００  撮像装置のアライメントを修正する方法
【図１Ａ】
2020053976.tif 000003
【図１Ｂ】
2020053976.tif 000004
【図１Ｃ】
2020053976.tif 000005
【図１Ｄ】
2020053976.tif 000006
【図２】
2020053976.tif 000007
【図３】
2020053976.tif 000008